(57)【要約】【課題】外部からの防犯性能を維持したまま使い勝手を向上させたダイヤル錠を提供することを目的とする。【解決手段】ダイヤルケース１内に回転操作自在に収容され、ダイヤルケース１の表示窓２への露出部３を備えた適数のダイヤル４を所定の解錠回転位置に回転させた際に施錠解除されるダイヤル錠であって、  前記ダイヤル４の露出部３が、該露出部３への正視方向に対して直交する方向からの視線が遮られる位置に配置されるとともに、  ダイヤル４の解錠回転位置における表示窓２への露出部３には、残余の露出部３との間の異質性により特定可能なマーク５が表示される。【選択図】  図１
2005226315.tif 000002
【特許請求の範囲】
【請求項１】
ダイヤルケース内に回転操作自在に収容され、ダイヤルケースの表示窓への露出部を備えた適数のダイヤルを所定の解錠回転位置に回転させた際に施錠解除されるダイヤル錠であって、
前記ダイヤルの露出部が、該露出部への正視方向に対して直交する方向からの視線が遮られる位置に配置されるとともに、
ダイヤルの解錠回転位置における表示窓への露出部には、残余の露出部との間の異質性により特定可能なマークが表示されるダイヤル錠。
【請求項２】
ダイヤルケース内に回転操作自在に収容され、ダイヤルケースの表示窓への露出部を備えた適数のダイヤルを所定の解錠回転位置に回転させた際に施錠解除されるダイヤル錠であって、
前記ダイヤルケースには、ダイヤルの露出部への正視方向に対して直交する方向からの視線を遮る遮蔽部が設けられるとともに、
ダイヤルの解錠回転位置における表示窓への露出部には、残余の露出部との間の異質性により特定可能なマークが表示されるダイヤル錠。
【請求項３】
ダイヤルケース内に回転操作自在に収容され、ダイヤルケースの表示窓への露出部を備えた適数のダイヤルを所定の解錠回転位置に回転させた際に施錠解除されるダイヤル錠であって、
前記ダイヤルケースの隣接する表示窓がダイヤルケースの正面壁に形成された凹部の底壁に開設されて、ダイヤルの露出部への側方からの視認が不能とされるとともに、
ダイヤルの解錠回転位置における表示窓への露出部には、残余の露出部との間の異質性により特定可能なマークが表示されるダイヤル錠。
【請求項４】
複数のダイヤルを有し、
前記ダイヤルに対応する表示窓が、連続する同一の凹部の底壁に形成される請求項３記載のダイヤル錠。
【請求項５】
前記ダイヤルの他の露出部が無模様、あるいは地模様である請求項１、２、３または４記載のダイヤル錠。
【発明の詳細な説明】
【技術分野】
【０００１】
本発明は、ダイヤル錠に関するものである。
【背景技術】
【０００２】
室外からの室内側施錠装置に対する操作を防止するためのダイヤル錠としては、特許文献１記載のものが知られている。この従来例は、クレセント錠への不正操作を防止するためにクレセント錠に組み込まれており、クレセントの回転軸と同軸上で回転操作可能なダイヤルを備える。
【０００３】
ダイヤルは、所定の解錠回転角度以外の回転角度ではクレセントへの回転操作を不能にするように構成され、利用者に解錠回転角度を知らせるために、ダイヤルの外周には回転角度毎に異なった種類のマークが付される。クレセントを施錠状態に保持した状態でダイヤルを解錠回転角度以外の回転角度に回転させると、解錠回転角度、すなわち、解錠に対応するマークの種類を知らない者によるクレセントの直接操作が不能になる。
【特許文献１】特開平７-２６９１９８号公報
【発明の開示】
【発明が解決しようとする課題】
【０００４】
しかし、上述した従来例において、室内側から解錠操作を行うためには、予めダイヤルが解錠回転角度に対応するマークの種類を知っておく必要があるが、例えば、家族全員に周知を図ることは面倒な上に、咄嗟の場合には気が動転してマークの種類を失念し、非常時の避難が遅れるおそれがある等、使い勝手が悪いという欠点がある。
【０００５】
本発明は、以上の欠点を解消すべくなされたものであって、外部からの防犯性能を維持したまま使い勝手を向上させたダイヤル錠を提供することを目的とする。
【課題を解決するための手段】
【０００６】
ダイヤル錠は１個ないし複数個のダイヤル４を所定の解錠回転位置まで回転させることにより施錠状態を解除可能としたもので、解錠回転位置における表示窓２へのダイヤル４露出部３の表記の組み合わせを解錠コードと称し、利用者に解錠コードの記憶を要求するものであった。そして、従来、ダイヤル４上には、解錠コードを構成する数字、アルファベット等と同種のものを解錠コードの表記とともに他の露出部３に表示し、これを知らない者に気取られるおそれのないように配慮される。
【０００７】
一方、ダイヤル錠を室内側に設置して使用する場合には、取付位置等によってダイヤル４を外部から目視不能とすることが可能であり、このような条件下では、目視による気取られを防止するために設定された解錠コードは無用と考えられる。
【０００８】
本発明は、以上のように錠である以上、解錠コードの存在が必須であるとの従来の常識を覆し、全く新しい知見に基づいてなされたものであって、解錠コードを設定しないことによって解錠コードの記憶そのものを不要にし、使い勝手を飛躍的に高めたもので、
ダイヤルケース１内に回転操作自在に収容され、ダイヤルケース１の表示窓２への露出部３を備えた適数のダイヤル４を所定の解錠回転位置に回転させた際に施錠解除されるダイヤル錠であって、
前記ダイヤル４の露出部３が、該露出部３への正視方向に対して直交する方向からの視線が遮られる位置に配置されるとともに、
ダイヤル４の解錠回転位置における表示窓２への露出部３には、残余の露出部３との間の異質性により特定可能なマーク５が表示されるように構成される。
【０００９】
ダイヤル４はダイヤルケース１内で複数の回転姿勢を例えば適宜のクリックストップ機構により安定的に取ることが可能であり、当該回転姿勢においてダイヤルケース１に設けた表示窓２から外部に露出する露出部３を備える。露出部３はダイヤル４の外周面、あるいは側壁面等、適宜位置に設定できる。
【００１０】
ダイヤル４の露出部３が、該露出部３を正対する方向に対して直交方向からの目視が不能な位置に配置される本発明において、外部からの不正操作者は露出部３を見ていわゆる解錠コードを合わせることができないために、解錠コードそのものを設定する必要がなくなる。また、ダイヤル４が解錠回転位置以外では解錠操作はできないために、外部からの不正操作に対する耐性も低下しない。
【００１１】
一方、施解錠状態を室内の利用者に知らせるマーク５は、他の露出部３、すなわち、解錠回転位置以外で表示窓２に現れる部分とは異質ゆえに極めて容易に特定することが可能であり、利用者は、当該マーク５が表示窓２から現れるまでダイヤル４を回転させるだけで、解錠状態に移行させることができる。この結果、咄嗟の場合でも確実に解錠操作を行うことができるために、非常時に避難が遅れることもない。また、解錠コードを記憶する必要がないために、家族全員に周知を図る面倒もなく、さらに、解錠コード失念等をおそれて解錠状態で使用することもなくなる。
【００１２】
露出部３を外部からの視界から遮るためには、上述した特許文献１に記載されるように、操作部と露出部３とをダイヤル４上の異なった箇所に形成し、露出部が表示窓２から突出しない状態に配置するだけで達成可能であるが、露出部３を操作部としても使用するために、表示窓２から突出させる場合等には、ダイヤルケース１に遮蔽部６を設けることができる。
【００１３】
さらに、ダイヤルケース１の正面壁に、周壁が遮蔽部６として機能する凹部７を形成し、その底壁に表示窓２を開設することも可能であり、このように、通常、意匠的な特徴面となる正面壁の凹凸を利用して遮蔽部６を形成すると、意匠的違和感をなくすことができる。この場合、複数の表示窓２を連続する凹部７に形成すると、ダイヤル４の操作性が向上する。
【００１４】
マーク５は、他の露出部３と質的に相違するものであれば他の露出部３の状態との関係で適宜決定可能であり、例えば、他の露出部３に数字が付される場合には、アルファベットをマーク５として選択することができる。解錠操作の容易性はマーク５と他の露出部３との異質の程度とともに向上し、上述した文字同士は、文字種の違いが質的違いであるために比較的近似性が高いが、例えば、これらを色違いにして異質の程度を高めたり、あるいはマーク５と他の露出部３との関係を文字と絵のようにすることにより異質の程度を高めることができる。
【００１５】
さらに、ダイヤル４の他の露出部３を無模様、あるいは地模様で形成した場合には、マーク５の有無のみで特異性を持たせることができるために、より識別が容易になる。
【発明の効果】
【００１６】
本発明によれば、外部からの防犯性能を維持したまま使い勝手を向上させることができる。
【発明を実施するための最良の形態】
【００１７】
図１に引き違い窓に使用されるスライド錠として構成された本発明の実施の形態を示す。図１において８は固定プレートを示し、室外側の窓９の窓枠９ａに固定される。この固定プレート８は、図３に示すように、金属板材等を折り曲げて上下両側辺にガイド部８ａを形成した断面Ｃ字形状の横長のプレート体であり、一方の正面折り返し部８ｂの辺縁に係止部１０を備える。係止部１０は正面折り返し部８ｂに沿って所定ピッチで複数設けられ、スライド錠Ａの停止位置を適宜選択できるようにされる。各係止部１０、１０・・は図１に示すように、室内側の窓９’の窓枠９ａ’方向（以下、この方向を前方とする。）の辺が幅方向中心線に対してほぼ直交する垂直起立辺１０ａとされ、反対側が緩やかな傾斜辺１０ｂとされる鋸歯形状に形成される。
【００１８】
上記固定プレート８に装着して窓９の施錠を行うスライド錠Ａは、下スライドプレート１１と上スライドプレート１２とを備える。図３（ｂ）に示すように、下スライドプレート１１は固定プレート８のガイド部８ａに摺動自在に嵌合可能であり、上スライドプレート１２の両側縁には固定プレート８の側縁に外嵌可能なガイド壁１２ａが裏面側に折り曲げられる。また、下スライドプレート１１の前端は上方に折り曲げられて衝接ブロック１３を固定するための立ち上がり壁１１ａが形成される。上下スライドプレート１２、１１は鋼板により形成され、衝接ブロック１３は相手側窓枠９ａ’の被傷を防止するために、合成樹脂材により形成するのが望ましい。
【００１９】
図３に示すように、上記上スライドプレート１２の裏面、すなわち下スライドプレート１１との対向面には側縁に係止爪１４ａを備えるフック部材１４が支軸１４ｂ周りに揺動自在に枢支される。係止爪１４ａは、後端辺が垂直起立辺１４ｃ、前端が傾斜辺１４ｄとされており、図３（ａ）に示すように、固定プレート８の係止部１０に係止した状態で垂直起立辺１４ｃ、１０ａ同士が当接して後方への移動が禁止される。また、このフック部材１４はトーションスプリング１５により係止部１０との係止方向に付勢されており、フック部材１４の係止方向への回転角度は上スライドプレート１２に立設されるストッパピン１６により規制される。
【００２０】
さらに、上記フック部材１４の後端部にはカム開口１７が開設されており、後述するシャフト１８に設けられる駆動ピン１９が挿入される。カム開口１７は傾斜状のカム辺１７ａを備え、駆動ピン１９をシャフト１８の長手方向に移動させることにより、フック部材１４を揺動させることができる。
【００２１】
一方、上記上スライドプレート１２の表面には下カバー１ａに上カバー１ｂを積層したダイヤルケース１が固定され、上記シャフト１８は下カバー１ａの表面部に長手方向移動自在に保持される。図４に示すように、シャフト１８は、断面円形の直杆からなるシャフト主体部１８ａの後端に保持ブロック１８ｂとピン部材１８ｃ（図２（ｃ）参照）を固定して形成され、シャフト主体部１８ａは、保持ブロック１８ｂが下カバー１ａに支承され、かつ、前端部が上下カバー１ｂ、１ａに支持されて水平姿勢を維持する。シャフト主体部１８ａには、後述するダイヤル４に対応してボス１８ｄが側方に突設される。
【００２２】
上記ピン部材１８ｃの先端に形成される駆動ピン１９は上スライドプレート１２を貫通してフック部材１４のカム開口１７に挿入し、さらに、保持ブロック１８ｂの表面には上カバー１ｂを貫通してダイヤルケース１表面に露出する摘み２０が固定される。これらシャフト１８、および摘み２０をシャフト１８の長手方向に移動自在とするために、下カバー１ａ、および下スライドプレート１１には横長のガイド穴２１が設けられる。
【００２３】
駆動ピン１９及びフック部材１４のカム辺１７ａは、図４（ｂ）に示すように、シャフト１８が後方のストローク終端位置（解錠位置）にまで移動した際に図３（ｃ）に示すように、係止爪１４ａと固定プレート８の係止部１０との係止が解除し、図４（ａ）に示すように、前方ストローク終端位置との中間部において、図３（ａ）に示すように、係止爪１４ａが係止部１０に係止する（施錠位置）ように設定される。
【００２４】
上記シャフト１８のシャフト主体部１８ａにはダイヤル４が装着される。図５に示すように、ダイヤル４は、上記シャフト１８が貫通可能なシャフト貫通孔２２を中心に備えた円板体であり、その外周壁には所定間隔で形成されるクリック溝３ａにより複数の露出部３、３・・が区画される。ダイヤル４の回転操作に節度感をもたせるために、下カバー１ａとダイヤル４の間には、クリック溝３ａに弾発係止する板バネ状のクリックスプリング２３が装着され、節度停止した位置において、上記いずれかの露出部３が後述する表示窓２から突出、露出する。
【００２５】
上記ダイヤル４のシャフト貫通孔２２はシャフト１８の前方終端ストローク側に開口する大径部２２ａと、この大径部２２ａに連通して反対方に開口する小径部２２ｂとからなる。大径部２２ａは、上記シャフト主体部１８ａのボス１８ｄが空転可能な径寸法を有し、小径部２２ｂは、シャフト主体部１８ａの径とほぼ同一の径寸法に形成される。また、図５（ｂ）に示すように、小径部２２ｂには、上記ボス１８ｄが挿通可能なボス挿通切欠２２ｃが形成される。
【００２６】
図４（ａ）に示すように、フック部材１４が施錠位置にある施錠状態のとき、シャフト１８のボス１８ｄは、ダイヤル４の大径部２２ａに対応しており、この状態でダイヤル４はボス１８ｄとの干渉が生じることなく、シャフト１８に対して空転操作できる。この位置からダイヤル４を上述したクリック溝３ａによる節度停止位置のいずれかまで回転させると、小径部２２ｂのボス挿通切欠２２ｃはボス１８ｄに正対し、この回転位置が解錠回転位置に対応する。ダイヤル４が解錠回転位置にある際には、ボス１８ｄはボス挿通切欠２２ｃを挿通して後方に移動することが可能となり、この結果、図３（ｃ）に示すように、フック部材１４を解錠状態に移動させることができる。これに対し、ダイヤル４が解錠回転位置以外にある場合には、ボス１８ｄは小径部２２ｂに干渉するために、後方に移動することが不可能であり、この状態が施錠状態に対応する。
【００２７】
上記ダイヤル４を解錠回転位置にあることを利用者に知らせ、さらに、ダイヤル４への回転操作を可能にするために、ダイヤルケース１には表示窓２が開設され、ダイヤル４の外周壁の一部が表示窓２から突出、露出される。上述したように、ダイヤル４の表示窓２からは、クリック溝３ａを境界とする複数区画（露出部３）のうちのいずれか一つが完全に外部から視認できるように形成されており、ダイヤル４が解錠回転位置にあるときの表示窓２からの露出部３には、丸印（マーク５）が表記される。これに対して、他の露出部３は無地とされ、利用者がきわめて容易に解錠回転位置を知ることができるようにされる。
【００２８】
利用者に対する露出部３の視認を容易にし、かつ、外部から露出部３が覗き込まれないように、上記表示窓２は、施錠対象（この場合は窓９）を取り付けた姿勢での正面壁に開設されるとともに、その側方に遮蔽部６が設けられる。遮蔽部６は、側方からの露出部３への視線を遮るに必要な高さに形成され、この実施の形態においては、全体の意匠的統一感を損なうことのないように、図５に示すように、上カバー１ｂの表面を凹ませて形成される。この凹部７は、ダイヤル４の配列方向、すなわち、シャフト１８の操作方向に連続する中心線が最低となる湾曲凹面であり、表示窓２は、最低面、すなわち、凹部７の底壁に開設される。この状態で、図５（ａ）に示すように、ダイヤル４の露出部３は、側方からの視線Ｂより低い位置に配置されることとなり、外部から覗き見されることが防止される。
【００２９】
したがってこの実施の形態において、使用に際し、図１に示すように、予め窓枠９ａに固定された固定プレート８にスライド錠Ａを装着する。装着操作は、衝接ブロック１３を先頭にした姿勢で固定プレート８のガイド部８ａの後方開放端に下スライドプレート１１をはめこむようにして行われる。この状態で上記フック部材１４の係止爪１４ａと固定プレート８の係止部１０との間にはラチェット機構が構成され、スライド錠Ａを固定プレート８上を適宜位置まで移動させることができ、反対方向への移動操作は禁止される。適宜位置で停止させると、衝接ブロック１３は隣接する他の窓９’の窓枠９ａ’に対峙した状態となり、衝接ブロック１３の前端面が障害壁として作用して窓９、あるいは９’を開放させることができない。
【００３０】
また、ダイヤル４の露出部３が正面になるように固定された状態では、図１（ｂ）に示すように、上方からは、ダイヤル４の存在を知ることができず、現在、ダイヤル４がどの回転位置を取っているのかを全く知ることができない。いま、図１（ａ）に示す状態、すなわち、ダイヤル４の一方が解錠回転位置以外にある状態では、上述したように、スライド錠Ａの操作はできないために、窓ガラスの一部を割ってスライド錠Ａを直接スライドさせ、窓９を開放することができない。また、ダイヤル４も回転状態を知ることができないために、ダイヤル合わせも行うことができない。
【００３１】
これに対し、室内側にいる利用者は、一方のダイヤル４が解錠回転位置以外の位置にあることをマーク５により簡単に知ることができ、かつ、マーク５が表示窓２に現れるまでダイヤル４を回転させることにより残りのダイヤル４を解錠回転位置にすることが簡単にできる。全てのダイヤル４を解錠回転位置にそろえると、この状態から摘みを保持してスライド錠Ａを後方に移動させると、係止爪１４ａの係止部１０との係止が解除され、スライド錠Ａを固定プレート８から離脱させることができる。
【００３２】
この結果、咄嗟の時でも、確実に解錠操作、すなわち、窓の開放を行うことができる。
【図面の簡単な説明】
【００３３】
【図１】本発明を示す図で、（ａ）は窓に装着した状態を示す正面図、（ｂ）は（ａ）の１Ｂ方向矢視図である。
【図２】ダイヤル錠を示す図で、（ａ）は正面図、（ｂ）は左側面図、（ｃ）は（ａ）の２Ｃ-２Ｃ線断面図である。
【図３】フック部材の動作を示す図で、（ａ）はシャフトが施錠位置にある状態を上スライドプレートを取り除いて示した図、（ｂ）は固定プレートに装着した状態を示す要部断面図、（ｃ）はシャフトが解錠位置にあるときの（ａ）に対応する図である。
【図４】シャフトの動作を示す図で、（ａ）は施錠位置にある状態を上カバーを取り除いて示した図、（ｂ）は解錠位置にあるときの（ａ）に対応する図である。
【図５】図４の断面図で、（ａ）は図４（ａ）の５Ａ-５Ａ線断面図、（ｂ）は図４（ａ）の５Ｂ-５Ｂ線断面図である。
【符号の説明】
【００３４】
１        ダイヤルケース
２        表示窓
３        露出部
４        ダイヤル
５        マーク
６        遮蔽部
７        凹部
【図１】
2005226315.tif 000003
【図２】
2005226315.tif 000004
【図３】
2005226315.tif 000005
【図４】
2005226315.tif 000006
【図５】
2005226315.tif 000007